【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
形状を有する加工品を提供し、
マスキング材料からなるシートを提供し、
前記シートと加工品間にカッタを位置決めし、
前記シートから所望形状のマスクをカットし、
前記マスキング材料と加工品間から前記カッタを除去し、かつ
加工品の第一面に対して前記マスクの接着剤側を付勢する、各工程を含む方法。
【請求項２】
前記シートからマスクをカットする工程は前記シートに複数のカットを形成することを含む、請求項１の方法。
【請求項３】
前記複数のカットは前記マスクと前記シートの残部間に延在する複数の脆弱リンクを形成する、請求項１の方法。
【請求項４】
前記前記マスクを前記シートの残部から分離するために前記脆弱リンクを破壊する工程を更に含む、請求項３の方法。
【請求項５】
前記シートからマスクをカットする工程は、前記シートの無接着剤側へ侵入する前に前記シートの接着剤側へ侵入することを含む、請求項１の方法。
前記シートに複数のカットを形成する工程は、前記シートの無接着剤側へ侵入する前に前記シートの接着剤側へ侵入することを含む、請求項１の方法。
【請求項６】
前記シートからマスクをカットする工程は、レーザビームで前記シートの接着剤側を照射することを含む、請求項１の方法。
【請求項７】
前記マスクおよび加工品は、前記マスクの周辺と加工品の延長部間に延在するエプロン部を形成する、請求項１の方法。
【請求項８】
前記エプロン部は実質的均一幅を有する、請求項７の方法。
【請求項９】
前記エプロン部はフレームに適合する寸法を有する、請求項７の方法。
【請求項１０】
前記シートの無接着剤側をプラテンにより支持する工程を更に含む、請求項１の方法。
【請求項１１】
前記シートの無接着剤側をプラテンにより支持する工程は、前記プラテンに対して前記シートの無接着剤側を選択により保持することを含む、請求項１０の方法。
【請求項１２】
前記シートの無接着剤側をプラテンにより支持する工程は、前記プラテンにより形成された少なくとも一つの孔と流体により連絡する低圧力源を設置すること含む、請求項１１の方法。
【請求項１３】
前記シートからマスクを形成する工程は、レーザビームで前記シートの接着剤側を照射する工程を含む、請求項１の方法。
【請求項１４】
前記シートからマスクをカットする工程は、前記シートの無接着剤側へ侵入する前にカッタにより前記シートの接着剤側へ侵入することを含む、請求項１の方法。
【請求項１５】
マスキング材料からなるシートを提供する工程は、複数の細片を結合して前記シートを形成することを含む、請求項１の方法。
【請求項１６】
前記所望形状は加工品の形状に類似している、請求項１の方法。
【請求項１７】
前記所望形状は加工品の形状に関係する、請求項１の方法。
【請求項１８】
前記所望形状は加工品の形状に比例する、請求項１７の方法。
【請求項１９】
前記所望形状は加工品の形状よりも小さい、請求項１８の方法。
【請求項２０】
エプロン部の幅は前記所望形状の幅を得るために加工品の幅から二倍を減じたものである、請求項１７の方法。
【請求項２１】
前記マスクは加工品の表面積よりも小さい表面積を有し、かつ前記シートは加工品の表面積よりも大きい表面積を有する、請求項１の方法。
【請求項２２】
前記所望形状は少なくとも一つの弓状側を含む、請求項１の方法。
【請求項２３】
前記所望形状は少なくとも一つの鋭角を含む、請求項１の方法。
【請求項２４】
前記所望形状は少なくとも一つの鈍角を含む、請求項１の方法。
【請求項２５】
前記マスクを加工品に対して付勢する工程は空気流を送って前記マスク上に当てることを含む、請求項１の方法。
【請求項２６】
前記マスクを加工品に対して付勢する工程は、加工品とラプラテン間で前記マスクを挟むことを含む、請求項１の方法。
【請求項２７】
前記マスクを加工品に対して付勢する工程は、加工品とローラ間で前記マスクを挟むことを含む、請求項１の方法。
【請求項２８】
形状を有する加工品を提供し、
マスキング材料からなるシートを提供し、
加工品をカッタに接触させることなく、カッタを使用して前記シートに複数のカットを形成し、
複数のカットにより所望形状のマスク、および前記マスクと前記シートの残部間に延在する複数の脆弱リンクを形成し、かつ
加工品の第一面に対してマスクの接着剤側を付勢する、各工程を含む方法。
【請求項２９】
前記脆弱リンクを破壊して前記マスクを前記シートの残部から分離する工程を更に含む、請求項２８の方法。
【請求項３０】
前記シートに複数のカットを形成する工程は、前記シートの無接着剤側へ侵入する前に前記シートの接着剤側へ侵入することを含む、請求項２８の方法。
【請求項３１】
前記シートに複数のカットを形成する工程は、レーザビームで前記シートの接着剤側を照射することを含む、請求項２８の方法。
【請求項３２】
前記シートの無接着剤側をプラテンで支持する工程を更に含む、請求項２８の方法。
【請求項３３】
前記シートの無接着剤側をプラテンで支持する工程は前記プラテンに対して前記シートの無接着剤側を選択により保持することを含む、請求項２８の方法。
【請求項３４】
前記プラテンに対して前記シートの無接着剤側を選択により保持する工程は前記プラテンにより形成された少なくとも一つの孔と流体により連絡する低圧力源を設置すること含む、請求項３３の方法。
【請求項３５】
前記マスクの周辺と加工品の延長部間に延在するエプロン部を形成する、請求項２８の方法。
【請求項３６】
前記エプロン部は実質的均一幅を有する、請求項３５の方法。
【請求項３７】
前記エプロン部はフレームに適合する寸法を有する、請求項２８の方法。
【請求項３８】
前記マスキング材料からなるシートを提供する工程は、複数の細片を結合してそのシートを形成することを含む、請求項２８の方法。
【請求項３９】
前記所望形状は加工品の形状に類似している、請求項２８の方法。
【請求項４０】
前記所望形状は加工品の形状に関係する、請求項３９の方法。
【請求項４１】
前記所望形状は加工品の形状に比例する、請求項３９の方法。
【請求項４２】
前記所望形状は加工品の形状よりも小さい、請求項４１の方法。
【請求項４３】
エプロン部の幅は前記所望形状の幅を得るために加工品の幅から二倍（twice)減じたものである、請求項４１の方法。
【請求項４４】
前記マスクは加工品の表面積よりも小さい表面積を有し、かつ前記シートは加工品の表面積よりも大きい表面積を有する、請求項２８の方法。
【請求項４５】
前記所望形状は少なくとも一つの弓状側を含む、請求項２８の方法。
【請求項４６】
前記所望形状は少なくとも一つの鋭角を含む、請求項２８の方法。
【請求項４７】
前記所望形状は少なくとも一つの鈍角を含む、請求項２８の方法。
【請求項４８】
前記マスクを加工品に対して付勢する工程は空気流を送って前記マスク上に当てることを含む、請求項２８の方法。
【請求項４９】
前記マスクを加工品に対して付勢する工程は加工品とプラテン間で前記マスクを挟むことを含む、請求項２８の方法。
【請求項５０】
前記マスクを加工品に対して付勢する工程は加工品とローラ間で前記マスクを挟むことを含む、請求項２８の方法。
【請求項５１】
形状を有する加工品を提供し、
マスキング材料からなるシートを提供し、
前記シートの無接着剤側をプラテンで支持し、
前記シートの接着剤側の近傍にカッタを位置決めし、
前記シートに少なくとも一つのカットを形成してマスクを画定し、かつ
前記マスクの接着剤側を加工品の第一面に対して付勢する、各工程を含む方法。
【請求項５２】
前記シートに少なくとも一つのカットを形成する工程は、前記マスクと前記シートの残部間に延在する複数の脆弱リンクを形成する複数のカットを形成することを含む、請求項５１の方法。
【請求項５３】
前記マスクを前記シートの残部から分離するために前記脆弱リンクを破壊する工程を更に含む、請求項５２の方法。
【請求項５４】
前記シートに複数のカットを形成する工程は、前記シートの無接着剤側へ侵入する前に前記シートの接着剤側へ侵入することを含む、請求項５１の方法。
【請求項５５】
前記シートに複数のカットを形成する工程は、レーザビームで前記シートの接着剤側を照射することを含む、請求項５１の方法。
【請求項５６】
前記マスクおよび加工品は、前記マスクの周辺と加工品の延長部間に延在するエプロン部を形成する、請求項５１の方法。
【請求項５７】
前記エプロン部は実質的均一幅を有する、請求項５６の方法。
【請求項５８】
前記エプロン部はフレームに適合する寸法を有する、請求項５６の方法。
【請求項５９】
前記シートの無接着剤側をプラテンにより支持する工程は、前記プラテンに対して前記マスキング材料の無接着剤面を選択により保持することを含む、請求項５１の方法。
【請求項６０】
前記マスキング材料の無接着剤面を選択により保持する工程は、前記プラテンにより形成された少なくとも一つの孔と流体により連絡する低圧力源を設置すること含む、請求項５９の方法。
【請求項６１】
前記シートに少なくとも一つのカットを形成する工程は、レーザビームで前記シートの接着剤側を照射する工程を含む、請求項５１の方法。
【請求項６２】
前記シートに少なくとも一つのカットを形成する工程は、カッタにより前記シートの無接着剤側へ侵入する前にカッタにより前記シートの接着剤側へ侵入することを含む、請求項５１の方法。
【請求項６３】
マスキング材料からなるシートを提供する工程は、複数の細片を結合して前記シートを形成することを含む、請求項５１の方法。
【請求項６４】
前記所望形状は加工品の形状に類似している、請求項５１の方法。
【請求項６５】
前記所望形状は加工品の形状に関係する、請求項５１の方法。
【請求項６６】
前記所望形状は加工品の形状に比例する、請求項６５の方法。
【請求項６７】
前記所望形状は加工品の形状よりも小さい、請求項６６の方法。
【請求項６８】
エプロン部の幅は前記所望形状の幅を得るために加工品の幅から二倍を減じたものである、請求項６５の方法。
【請求項６９】
前記マスクは加工品の表面積よりも小さい表面積を有し、かつ前記シートは加工品の表面積よりも大きい表面積を有する、請求項５１の方法。
【請求項７０】
前記所望形状は少なくとも一つの弓状側を含む、請求項５１の方法。
【請求項７１】
前記所望形状は少なくとも一つの鋭角を含む、請求項５１の方法。
【請求項７２】
前記所望形状は少なくとも一つの鈍角を含む、請求項５１の方法。
【請求項７３】
前記マスクを加工品に対して付勢する工程は、空気流を送って前記マスク上に当てることを含む、請求項５１の方法。
【請求項７４】
前記マスクを加工品に対して付勢する工程は、加工品とラプラテン間で前記マスクを挟むことを含む、請求項５１の方法。
【請求項７５】
前記マスクを加工品に対して付勢する工程は、加工品とローラ間で前記マスクを挟むことを含む、請求項５１の方法。
【請求項７６】
加工品はガラス板を含む、請求項５１の方法。
【請求項７７】
加工品は基板上の薄いフィルムを含む、請求項５１の方法。
【請求項７８】
加工品は絶縁ガラスユニットを含む、請求項５１の方法。